(57)【要約】【課題】積層シート材から打抜かれたカバーシートに発生したバリの影響によりディスク基板とカバーシートとの密着性が低下することを防止する。【解決手段】打抜装置４０では、積層シート材３２における剥離シート３４の表面にブレードローラ４４のローラ面４６に設けられた打抜刃５２，５４を押し当て、この打抜刃５２，５４により積層シート材３２における剥離シート３４及び樹脂フィルム２６を切断し、積層シート材３２から剥離シート３４の一部及び樹脂フィルム２６の一部をディスク基板の記録面に対応する面形状に打抜く。これにより、積層シート材３２における樹脂フィルム２６には、ディスク基板の記録面に対応する面形状とされた樹脂フィルム２６の一部がカバーシート２４として打抜かれる。このとき、外周打抜刃５２からの剪断力により打抜かれたカバーシート２４の周縁部に発生するバリは粘着膜２８とは反対側へ突出する。【選択図】　図２
2004079052.tif 000002
【特許請求の範囲】
【請求項１】
片側の面に粘着膜が形成され、該粘着膜を介して光ディスクにおけるディスク基板の記録面に貼り合わされるカバーシートと、前記カバーシートにおける粘着膜の表面に貼り付けられた剥離シートと、前記カバーシートにおける粘着膜とは反対側の面に貼り付けられた保護シートとを有する積層シート材から、前記カバーシートの一部を前記ディスク基板の記録面に対応する面形状に打抜くための積層シート材の打抜き方法であって、
前記積層シート材における前記剥離シートの表面に、刃先部が前記ディスク基板の記録面の周縁部に対応する軌跡に沿って延在する打抜刃を押し当て、該打抜刃により前記積層シート材における前記剥離シート及び前記カバーシートを切断し、前記積層シート材から前記剥離シートの一部及び前記カバーシートの一部を前記ディスク基板の記録面に対応する面形状に打抜くことを特徴とする積層シート材の打抜き方法。
【請求項２】
前記打抜刃が、前記積層シート材から前記剥離シートの一部及び前記カバーシートの一部を前記ディスク基板の記録面に対応する面形状に打抜いた後、前記積層シート材から前記保護シートを打抜く前に、前記打抜刃を前記保護シートから離間させることを特徴とする請求項１記載の積層シート材の打抜き方法。
【請求項３】
前記打抜刃がローラ面に設けられると共に、該ローラ面を前記保護シートの表面に対向させるブレードローラと、ローラ面を前記剥離シートの表面に対向させる受けローラとにより前記積層シート材を挟持しつつ、前記ブレードローラ及び前記受けローラを回転させて前記積層シート材を搬送すると同時に、
前記ブレードローラ及び前記受けローラにより搬送される前記積層シート材にの前記剥離シートの表面に前記打抜刃を押し当て、該打抜刃により前記積層シート材における前記剥離シート及び前記カバーシートを切断し、前記積層シート材から前記剥離シートの一部及び前記カバーシートの一部を前記ディスク基板の記録面に対応する面形状に打抜くことを特徴とする請求項１又は２記載の積層シート材の打抜き方法。
【請求項４】
請求項１、２又は３記載の積層シート材の打抜き方法により前記積層シート材から前記ディスク基板の記録面に対応する面形状に打抜かれた前記カバーシートを、前記粘着膜を介して前記ディスク基板の記録面に貼り合せる貼合工程を有することを特徴とする光ディスクの製造方法。
【発明の詳細な説明】
【０００１】
【発明の属する技術分野】
本発明は、カバーシートを含んで構成される積層シート材から、ディスク基板に貼り合わされるカバーシートを所要の面形状に打抜くための積層シート材の打抜き方法及び、ディスク基板上にカバーシートが貼り合わされることで透明なカバー層が形成される光ディスクの製造方法に関する。
【０００２】
【従来の技術】
レーザ光を用いて情報を記録し、又は再生する光ディスクとしては、例えば、ＣＤ−Ｒ（Ｃｏｍｐａｃｔ　Ｄｉｓｃ−ｒｅｃｏｒｄａｂｌｅ）、ＣＤ（Ｃｏｍｐａｃｔ　Ｄｉｓｃ）、ＤＶＤ（ｄｉｇｉｔａｌｖｅｒｓａｔｉｌｅ　ｄｉｓｃ）、ＤＶＤ−Ｒ（ｄｉｇｉｔａｌ　ｖｅｒｓａｔｉｌｅ　ｄｉｓｃ−ｒｅｃｏｒｄａｂｌｅ）等が既に普及しているが、近年、光ディスクに対しては、映像情報等の情報を更に大量に格納したいという要望があり、高密度化の検討が進んでいる。このような光ディスクに対する記録密度は、おおむねディスク上の光ビームのスポットサイズで決まり、このスポットサイズは、レーザ波長をλ、対物レンズの開口数をＮＡとすると、λ／ＮＡに比例する。このため、光ディスクに対する記録密度を高めるためには、レーザ光の短波長化と対物レンズの高ＮＡ化が必要となる。しかし、光ディスクの傾きにより発生するコマ収差はＮＡの３乗に比例して大きくなるため、高ＮＡ化によってディスクの傾きに対するマージンが極めて小さくなり、わずかな傾きでもビームスポットがぼやけ、高密度での記録及び再生が実現できなくなる。従って、高密度化に対応した光ディスクでは、例えば、特開平１１−３１３３７号公報に開示されているように、レーザ光の透過層であるカバー層を十分薄いもの（例えば、０．１ｍｍ程度のもの）とし、高ＮＡに伴うディスクの傾きによるコマ収差の増加を抑制する必要がある。
【０００３】
上記のような光ディスクの製造過程では、例えば、情報記録層が形成されたディスク基板の記録面上にポリカーボネイト等の透明フィルムを基材とする薄膜状のカバーシートを貼り合せ、このカバーシートによりディスク基板上に透明なカバー層を形成する。このとき、このカバーシートの片側の面（貼合面）には予め粘着膜が形成されており、この粘着膜を介してカバーシートはディスク基板の記録面に貼り合わされる。
【０００４】
また、上記のようなディスク基板に貼り合わされるカバーシートは、多くの場合、長尺帯状のカバーシートの粘着面及び光入射面にそれぞれ剥離シート及び保護シートが貼り付けられた４層構造の積層シート材を加工素材として製造される。具体的には、例えば、刃先部が環状に延在する打抜刃により保護シート側の面から積層シート材における保護シート及びカバーシートを、それぞれディスク基板の記録面に対応する円板状又は円環状に打抜き、この積層シート材から打抜かれたカバーシートをディスク基板の記録面に貼り合わす。このとき、カバーシートの粘着膜に貼り付けられた剥離シートは、通常、打抜刃により打抜かれることなく長尺帯状のまま残される。この長尺帯状の剥離シートは、積層シート材から打抜かれたカバーシートを搬送するためのキャリアベースとして用いられる。すなわち、カバーシートは、単体では非常に薄く（例えば、８０〜１００μｍ程度）で皺等の故障を発生させることなく搬送することが難しい。このため、剥離シートをカバーシートに貼り付けたまま、この剥離シートを介してカバーシートに搬送力を伝えることで、皺等の故障を発生させることなく、記録面に対応する面形状に打抜かれたカバーシートを簡単に搬送することが可能になる。
【０００５】
図７には、従来の打抜き方法により積層シート材から打抜かれたカバーシートの搬送方法の一例が示されている。この図７には、シート剥離装置１１０によりカバーシート１１４から剥離シート１１８を剥離しつつ、このカバーシート１１４を受けテーブル１１２上へ搬送する場合が示されている。シート剥離装置１１０には、カバーシート１１４から剥離シート１１８を剥離するためのクサビ状の剥離ガイド部材１１１が設置されている。この剥離ガイド部材１１１は、その先端部６０がシート搬送台６２側を向くように支持されている。
【０００６】
またシート剥離装置１１０には、複数のカバーシート１１４が貼り付けられた剥離シート１１８に所定の張力を付与しつつ、この剥離シート１１８に所定の剥離方向（矢印Ｅ方向）の引張り力を加えるテンション機構（図示省略）が設けられている。これにより、シート剥離装置１１０では、カバーシート１１４が剥離シート１１８を介して剥離ガイド部材１１１に一定の圧接力で圧接しつつ、剥離ガイド部材１１１の基端側から先端側へ向って移動する。このとき、剥離ガイド部材１１１の先端部付近では、カバーシート１１４に貼り付けられた剥離シート１１８がカバーシート１１４から剥離する。また剥離シート１１８が剥離されたカバーシート１１４は、剥離ガイド部材１１１の前方へ押出されて受けテーブル１１２上へスライドする。
【０００７】
【発明が解決しようとする課題】
しかしながら、打抜刃により積層シート材の保護シート１２０側からカバーシートを打抜き、剥離シート１１８をキャリアベースとして長尺帯状のまま残した場合には、図８に示されるように、カバーシート１１４の基材を構成する樹脂フィルム１１５の外周端部に粘着膜１１６側へ突出する略クサビ形状のバリ１２２が発生することがある。このような樹脂フィルム１１５のバリ１２２は、ディスク基板１１７とカバーシートの外周部との密着性を低下させ、光ディスクにおけるディスク基板１１７とカバーシート１１４との間の空気侵入、光入射面の反りの原因となり、良品としての光ディスクの製造歩留りの低下に繋がる。
【０００８】
本発明の一の目的は、上記事実を考慮して、積層シート材から打抜かれたカバーシートにディスク基板との密着性を低下させるようなバリが発生することを防止できる積層シート材の打抜き方法を提供することにある。
【０００９】
また本発明の他の目的は、上記事実を考慮して、積層シート材から打抜かれたカバーシートに発生したバリの影響によりディスク基板とカバーシートとの密着性が低下することを防止できる光ディスクの製造方法を提供することにある。
【００１０】
【課題を解決するための手段】
本発明に係る積層シート材の打抜き方法は、片側の面に粘着膜が形成され、該粘着膜を介して光ディスクにおけるディスク基板の記録面に貼り合わされるカバーシートと、前記カバーシートにおける粘着膜の表面に貼り付けられた剥離シートと、前記カバーシートにおける粘着膜とは反対側の面に貼り付けられた保護シートとを有する積層シート材から、前記カバーシートの一部を前記ディスク基板の記録面に対応する面形状に打抜くための積層シート材の打抜き方法であって、前記積層シート材における前記剥離シートの表面に、刃先部が前記ディスク基板の記録面の周縁部に対応する軌跡に沿って延在する打抜刃を押し当て、該打抜刃により前記積層シート材における前記剥離シート及び前記カバーシートを切断し、前記積層シート材から前記剥離シートの一部及び前記カバーシートの一部を前記ディスク基板の記録面に対応する面形状に打抜くことを特徴とする。
【００１１】
本発明に係る積層シート材の打抜き方法によれば、積層シート材における前記剥離シートの表面に、刃先部が前記ディスク基板の記録面の周縁部に対応する軌跡に沿って延在する打抜刃を押し当て、この打抜刃により積層シート材における剥離シート及びカバーシートを切断し、積層シート材から剥離シートの一部及びカバーシートの一部をディスク基板の記録面に対応する面形状に打抜くことにより、積層シート材におけるカバーシートには、粘着膜の表面から反対側の面（光入射面）へ向って打抜刃が食い込み、この打抜刃により記録面に対応する面形状とされたカバーシートの一部が他の部分から切り離される。
【００１２】
このとき、打抜刃からの剪断力により打抜かれたカバーシートの周縁部にバリが発生する場合には、このバリは打抜刃からの剪断力の方向と略一致するような方向、すなわち粘着膜とは反対側へ突出する。従って、積層シート材から打抜かれたカバーシートに粘着膜側へ突出するバリが発生することを防止できるので、このカバーシートを、粘着膜を介してディスク基板の記録面に貼り合せた場合にも、打抜時にカバーシートの周縁部に発生したバリの影響によりカバーシートとディスク基板との密着性が低下することを防止できる。
【００１３】
また、打抜刃により積層シート材を打抜く際に、保護シートを打抜くことなく、積層シート材における形状のままに残しておけば、この保護シートをキャリアベースとして用い、保護シートを介し打抜かれたカバーシートへ搬送力を伝達してカバーシートを搬送することにより、カバーシートに皺等の故障を発生させることなく、簡単に搬送できるようになる。
【００１４】
また、本発明に係る光ディスクの製造方法は、請求項１、２又は３記載の積層シート材の打抜き方法により前記積層シート材から前記ディスク基板の記録面に対応する面形状に打抜かれた前記カバーシートを、前記粘着膜を介して前記ディスク基板の記録面に貼り合せる貼合工程を有することを特徴とする。
【００１５】
本発明に係る光ディスクの製造方法によれば、カバーシートとディスク基板との貼合工程において、請求項１、２又は３記載の積層シート材の打抜き方法により積層シート材からディスク基板の記録面に対応する面形状に打抜かれた前記カバーシートを、粘着膜を介して前記ディスク基板の記録面に貼り合せることにより、前述したように、打抜刃からの剪断力により打抜かれたカバーシートの周縁部にバリが発生しても、このバリは粘着膜とは反対側へ突出するので、このカバーシートを、粘着膜を介してディスク基板の記録面に貼り合せた場合に、カバーシートの周縁部に発生したバリの影響によりカバーシートとディスク基板との密着性が低下することを防止できる。
【００１６】
【発明の実施の形態】
以下、本発明の実施形態に係る光ディスクの製造方法について図面を参照して説明する。
【００１７】
（実施形態の構成）
先ず、本発明の実施形態に係る光ディスクの構造について簡単に説明する。図１には、本発明の実施形態に係る光ディスクの製造方法により製造された光ディスクが示されている。この光ディスク１０は、従来のＤＶＤ−Ｒ等の光ディスクに対して高密度の情報記録が可能とされたものであり、例えば、従来の光ディスクと比較して、記録再生用のレーザ光として短波長の青紫レーザ光を用いると共に、記録再生装置の対物レンズの開口数ＮＡを０．８５程度まで増大することで、１２ｃｍ径の光ディスク１０に対する片面記録容量が２５Ｇバイト以上に高められている。
【００１８】
光ディスク１０には、円盤状に形成されたディスク基板１２が設けられており、このディスク基板１２の片側の面は情報の記録面１４とされている。このディスク基板１２の記録面側には、光反射層１８及び光吸収層２０が順に積層されており、これらの光反射層１８及び光吸収層２０により情報記録層（以下、単に「記録層」という。）１６が構成されている。また光ディスク１０には、記録層１６を覆うようにディスク基板１２上に透明なカバー層２２が設けられている。このカバー層２２は、透明な樹脂フィルム２６及び粘着膜２８からなるカバーシート２４により構成され、その厚さが１００μｍ程度とされている。
【００１９】
ディスク基板１２は、ＰＣ（ポリカーボネイト）等の樹脂を素材としてモールド成形されている。光ディスク１０におけるカバー層２２を構成するカバーシート２４は、ＰＣ（ポリカーボネイト）、ＰＥＴ（ポリエチレンテレフタレート）等の透明樹脂製の樹脂フィルム２６を基材としており、この樹脂フィルム２６の片側の面に一定厚さの粘着膜２８が成膜されている。粘着膜２８は、公知のアクリル系、ゴム系、シリコン系等の粘着剤により形成されるが、透明性及び耐久性の観点からは、アクリル系粘着剤により粘着膜２８が望ましい。またカバーシート２４の厚さは、光ディスク１０におけるカバー層２２の厚さの設定値と略等しく設定され、例えば、カバー層２２の厚さの設定値が１００μｍの場合には、樹脂フィルム２６の厚さが８０μｍ、粘着膜２８の厚さが２０μｍにそれぞれ設定される。
【００２０】
ディスク基板１２の中心部には、光ディスク１０の回転中心となる軸心ＳＤに沿って円形のセンターホール２９が穿設されている。またカバー層２２の中心部にも、軸心Ｓを中心としてセンターホール２９と略同一内径を有する円形の開口部３０が形成されている。但し、カバー層２２については、その内周端がディスク基板１２の記録層１６よりも内周側に位置していれば良いことから、この位置関係を満たす範囲で、開口部３０の内径をセンターホール２９の内径よりも大きくしても良い。
【００２１】
上記のような光ディスクの製造ラインでは、モールド成形等により成形されたディスク基板１２の片側の面に記録層１６を形成するディスク基板の製造工程と、ディスク基板１２に貼り合わされるカバーシート２４を積層シート材３２（図２参照）から成形するカバーシートの成形工程とがそれぞれ独立して行われ、これらの工程によりディスク基板１２及びカバーシート２４を製造した後、貼合工程にてディスク基板１２上にカバーシート２４を貼り合せることで図１に示される光ディスク１０が製造される。
【００２２】
カバーシート２４は、図２（Ｂ）に示されるような積層シート材３２を素材として成形される。積層シート材３２は、樹脂フィルム２６、この樹脂フィルム２６の片側の面に成膜された粘着膜２８、この粘着膜２８の表面に貼り付けられた剥離シート３４、及び樹脂フィルム２６の粘着膜２８とは反対側の面に貼り付けられた保護シート３６からなる４層構造とされている。剥離シート３４及び保護シート３６は、それぞれＰＥＴ等の樹脂を素材として薄膜状に成形されており、その貼合面３５，３７には、それぞれ剥離性を良好とするために剥離剤が塗布されている。ここで、剥離シート３４の貼合面３５に塗布される剥離剤としては、例えば、シリコンを主成分とするものが用いられる。また保護シート３６の貼合面３７には、樹脂フィルム２６との接着を維持するために、例えば、酢酸ビニールを主成分とする粘着剤が塗布されれている。
【００２３】
図２（Ａ）に示されるように、積層シート材３２は長尺帯状に形成されており、ロール状に巻き取られたシートロール３８として光ディスクの製造ラインへ供給され、このシートロール３８は打抜装置４０における送出部４２に装填され、この送出部４２により回転可能に支持される。打抜装置４０には互いに対となるブレードローラ４４及び受けローラ４８が設けられており、ブレードローラ４４のローラ面４６には、周方向に沿って複数（例えば、３個）の外周打抜刃５２及び内周打抜刃５４が同心状に設けられている。また受けローラ４８はブレードローラ４４の下側に軸平行となるように配置され、これらのローラ４４，４８は、それぞれローラ駆動部（図示省略）からのトルクを受けて互いに等線速度で回転する。
【００２４】
ブレードローラ４４の外周打抜刃５２は、ローラ面４６上において環状に設けられており、平面上に展開すると、ディスク基板１２と略同一径又は僅かに小径の円軌跡に沿って刃先部が延在するように形成されている。また外周打抜刃５２のローラ面４６からの突出長は、積層シート材３２における剥離シート３４の表面から保護シート３６の貼合面までの厚さＴＣ（図２（Ｂ）参照）と等しいか、厚さＴＣよりも僅かに長く設定する。これにより、外周打抜刃５２の刃先が剥離シート３６の厚さの中間付近まで達し、積層シート材３２の弾性変形分を吸収して保護シート３８及び樹脂フィルム２６を確実に切断することができる。
【００２５】
一方、ブレードローラ４４の内周打抜刃５４も、ローラ面４６上において環状に設けられており、平面上に展開すると、カバーシート２４における開口部３０（図１参照）と略同一径の円軌跡に沿って刃先部が延在するように形成されている。また内周打抜刃５４のローラ面４６からの突出長は、積層シート材３２全体の厚さＴ（図２（Ｂ）参照）と等しいか、又は打抜時の積層シート材３２の圧縮変形を考慮して厚さＴよりも僅かに短くされている。
【００２６】
受けローラ４８のローラ面５０は、その軸心からの曲率半径が一定の湾曲面からなり、金属、硬質樹脂等の一定以上の硬度及び耐磨耗性を有する材料により形成されている。ここで、受けローラ４８は、付勢機構（図示省略）によりブレードローラ４４の方向へ所定の付勢力で付勢されている。
【００２７】
打抜装置４０では、送出部に装填されたシートロール３８から積層シート材３２をブレードローラ４４及び受けローラ４８間へ送り出し、積層シート材３２をロール４４，４８により挟持する。これらのブレードローラ４４及び受けローラ４８は互いに等線速度で回転し、積層シート材３２を下流側へ送り出す。このとき、受けローラ４８が付勢機構により付勢されていることから、積層シート材３２は、ブレードローラ４４のローラ面４６と受けローラ４８のローラ面５０との間で加圧（圧縮）されつつ、ローラ４４，４８からの搬送力により一定速度で搬送方向（矢印Ｆ方向）へ搬送される。このロール４４，４８による積層シート材３２の搬送時に、ブレードローラ４４は、そのローラ面４６を剥離シート３４の表面に圧接させ、また受けローラ４８は、そのローラ面５０を保護シート３６の表面に圧接させる。
【００２８】
ブレードローラ４４は、受けローラ４８と共に積層シート材３２を搬送方向へ搬送しつつ、外周打抜刃５２を積層シート材３２における剥離シート３４へ押し当て、外周打抜刃５２及び内周打抜刃５４により積層シート材３２を切断する。
このとき、外周打抜刃５２のローラ面４６からの突出長が積層シート材３２における厚さＴＣ（図２（Ｂ）参照）と等しいか、又は厚さＴＣよりも僅かに長くされている程度なので、外周打抜刃５２は、積層シート材３２における剥離シート３４及び片面に粘着膜２８が形成された樹脂フィルム２６を貫通するが、保護シート３６については貫通しない。これにより、ローラ４４，４８間を通過した積層シート材３２の剥離シート３４及び樹脂フィルム２６は、外周打抜刃５２の内周側にあった部分が円板状に打抜かれ、他の部分から切離される。またローラ４４，４８間を通過した積層シート材３２の保護シート３６は、ローラ４４，４８により打抜かれることなく長尺帯状まま搬送方向へ送り出される。
【００２９】
また、内周打抜刃５４のローラ面４６からの突出長が積層シート材３２における厚さＴ（図２（Ｂ）参照）と等しいか、又は厚さＴよりも僅かに短くされていることから、内周打抜刃５４は積層シート材３２全体を貫通して外周打抜刃５２により打ちぬかれた部分の中心部に円形の貫通穴部を穿設する。ここで、外周打抜刃５２により円板状に打抜かれた樹脂フィルム２６及び粘着膜２８は、図２（Ａ）に示されるように、ディスク基板１２に貼り合わされるカバーシート２４となり、内周打抜刃５４により打抜かれた樹脂フィルム２６の貫通穴は、カバーシート２４における開口部３０とされる。このカバーシート２４には、外周打抜刃５２及び内周打抜刃５４により打抜かれて同一の面形状を有する剥離シート３４が貼り付いた状態で搬送方向へ送り出される。
【００３０】
打抜装置４０では、ブレードローラ４４及び受けローラ４８間を通過した積層シート材３２から剥離シート３４及び樹脂フィルム２６のカバーシート２４の外周側が剥離、除去されると共に、積層シート材３２の開口部３０の内周側が抜取り、除去される。
【００３１】
光ディスクの製造ラインでは、上記のようにして打抜装置４０により積層シート材３２から打抜かれたカバーシート２４を受けテーブル５６（図３参照）上へ搬送する。このとき、積層シート材３２に長尺帯状まま残された保護シート３６に搬送力を加えてカバーシート２４を搬送することにより、カバーシート２４に皺等の故障を生じさせること無く、カバーシート２４を打抜装置４０から受けテーブル５６上へ簡単に搬送できる。
【００３２】
図３に示されるように、光ディスクの製造ラインには、カバーシート２４を受けテーブル５６上へ案内するためのガイドテーブル５８が設けられると共に、このガイドテーブル５８の終端部にカバーシート２４から剥離シート３４及び保護シート３６を剥離するための剥離装置６０が設置されている。ガイドテーブル５８は、その上面部が平滑な平面からなるスライド面５９とされており、カバーシート２４は、スライド面５９上をスライドして打抜装置４０から剥離装置６０へ搬送される。
【００３３】
剥離装置６０には、ガイドテーブル５８から受けテーブル５６側へ延出するクサビ状の剥離ガイド部材６２が設けられている。この剥離ガイド部材６２は、その上面部６３を、保護シート３６を介してカバーシート２４に当接させており、この上面部６３は、ガイドテーブル５８のスライド面５９と略面一となるように支持されている。剥離ガイド部材６２の上面部６３には、スライド面５９上を搬送されてきたカバーシート２４が保護シート３６を介して載置される。この状態で、保護シート３６に引張り力を加え、保護シート３６を剥離ガイド部材６２の先端部に沿ってカバーシート２４から剥離することにより、カバーシート２４の剥離シート３４が剥離された部分が剥離ガイド部材６２から受けテーブル５６上へ搬送される。
【００３４】
また剥離装置６０には、剥離ガイド部材６２の上方にサクションローラ６４が回転可能に支持されている。このサクションローラ６４は、そのローラ面６５にローラ外部から負圧が供給される多数の吸引穴（図示省略）が開口している。サクションローラ６４は、そのローラ面６５をカバーシート２４の粘着膜２８に貼り付けられた剥離シート３４に圧接させつつ、カバーシート２４に従動して回転する。これにより、剥離シート３４は、サクションローラ６４からの吸引力によりカバーシート２４の粘着膜２８から剥離され、サクションローラ６４のローラ面６５上へ転移する。この剥離シート３４はローラ面６５上から剥離されて回収容器（図示省略）等へ回収される。
【００３５】
ここで、受けテーブル５６には、カバーシート２４が載置される載置面５７の下部側に負圧室６６が設けられると共に、この負圧室６６から載置面５７へ貫通する多数の吸引穴６８が穿設されている。この負圧室６６は真空ポンプ等の真空発生装置（図示省略）に接続されており、載置面５７上の所定位置にカバーシート２４が載置されると、負圧室６６内には真空発生装置から負圧が供給される。これにより、カバーシート２４は、吸引穴６８から負圧の作用により載置面５７上に吸引されて隙間無く密着する。
【００３６】
光ディスクの製造ラインでは、受けテーブル５６がカバーシート２４をローラ加圧装置７０（図４参照）へ搬送する搬送装置の一部として構成されており、カバーシート２４は受けテーブル５６上に載置された状態で、カバーシート２４のディスク基板１２へ貼合工程が行われるローラ加圧装置７０へ搬送される。
【００３７】
次に、カバーシート２４のディスク基板１２への貼合工程に用いられるローラ加圧装置７０について説明する。図４に示されるように、ローラ加圧装置７０には、支持テーブル７２が設けられると共に、この支持テーブル７２の上側に円筒状の加圧ローラ７４が回転可能に支持されている。支持テーブル７２の上面は、積層シート材３２が載置される載置面７６とされており、載置面７６の中央部には円柱状のセンターピン（図示省略）が突出している。このセンターピンは、ディスク基板１２の厚さよりも短くなっているか、伸縮可能とされて突出長が調整可能になっている。ディスク基板１２は、予め、そのセンターホール２９内へセンターピンが挿入されるように載置面７６上へ載置され、載置面７６の中央部へ位置決めされる。
【００３８】
図４に示されるように、加圧ローラ７４は、そのローラ軸方向に沿ってディスク基板１２よりも幅広とされ、その両端面にはそれぞれ軸心ＳＲに沿って突出するローラ軸７８が設けられている。また加圧ローラ７４のローラ面８０に沿った表層部はシリコンゴム、ウレタンゴム、バイトン等の弾性材料により形成されている。
【００３９】
上記のように構成されたローラ加圧装置７０を用いてカバーシート２４をディスク基板１２に貼り合せる方法について説明する。このローラ加圧装置７０では、先ず、図５（Ａ）に示されるように、カバーシート２４の他端部を吸着等により支持テーブル７２の上方へ支持しつつ、カバーシート２４の一端部をディスク基板１２の一端部に一致するように載置する。このとき、カバーシート２４とディスク基板１２とがなす角度は、３°〜１０°程度になるようにカバーシート２４の傾きが調整される。
【００４０】
次いで、図５（Ｂ）で実線で示される待機位置にあった加圧ローラ７４を、２点鎖線で示されるようにディスク基板１２上に載置されたカバーシート２４の一端部上へ移動させ、この加圧ローラ７４を積層シート材３２の上面部３３に圧接させつつ、カバーシート２４上の一端部から他端部へ向って転動させる。このとき、加圧ローラ７４の移動に従ってカバーシート２４の他端部をディスク基板１２側へ徐々に下降させて行く。これにより、カバーシート２４の粘着膜２８とディスク基板１２との間の空気を抜きつつ、図５（Ｃ）に示されるように、カバーシート２４をディスク基板１２に密着状態となるように貼り合わすことができる。このとき、加圧ローラ７４からカバーシート２４及びディスク基板１２に作用する荷重は一定となるように制御されるか、又は加圧ローラ７４のローラ面８０から作用する圧力（応力）が一定になるように制御される。このようしてカバーシート２４全体をディスク基板１２の記録面１４に貼り合せることにより、ディスク基板１２上に記録面１４を覆うカバー層２２（図１参照）が形成され、製品素材としての光ディスク１０の製造が完了する。
【００４１】
（実施形態の作用）
次に、上記したような光ディスクの製造ラインにて実施される光ディスクの製造方法の作用について説明する。
【００４２】
先ず、本実施形態に係る打抜装置４０では、積層シート材３２における剥離シート３４の表面にブレードローラ４４のローラ面４６に設けられた打抜刃５２，５４を押し当て、この打抜刃５２，５４により積層シート材３２における剥離シート３４及び片面に粘着膜２８が形成された樹脂フィルム２６を切断し、積層シート材３２から剥離シート３４の一部及び樹脂フィルム２６の一部をディスク基板１２の記録面１４に対応する面形状に打抜くことにより、積層シート材３２における樹脂フィルム２６には、粘着膜２８の表面から反対側の面（光入射面）へ向って打抜刃５２，５４の刃先部が食い込み、この打抜刃５２，５４によりディスク基板１２の記録面１４に対応する面形状とされた樹脂フィルム２６の一部がカバーシート２４として他の部分から切り離される。このとき、外周打抜刃５２からの剪断力により打抜かれたカバーシートの周縁部に発生するバリ８２は、図６に示されるように、外周打抜刃５２からの剪断力の方向と略一致するような方向、すなわち粘着膜２８とは反対側へ突出する。従って、積層シート材３２から打抜かれたカバーシート２４に粘着膜２８側へ突出するバリが発生することを防止できる。
【００４３】
次いで、上記のようにして積層シート材３２から打抜かれたカバーシート２４をローラ加圧装置７０によりディスク基板１２の記録面１４に貼り合わすことにより、製品素材としての光ディスク１０が製造される。このとき、ディスク基板１２に貼り合わされるカバーシート２４には粘着膜２８側へ突出するバリが存在しないので、このカバーシート２４を、粘着膜２８を介してディスク基板１２の記録面１４に貼り合せた場合に、打抜時にカバーシート２４の周縁部に発生したバリの影響によりカバーシート２４とディスク基板１２との密着性が低下することを防止できる。また、本実施形態に係る積層シート材３２の打抜き方法では、樹脂フィルム２６を形成する材料、打抜時の温度、打抜刃５２，５４の鋭利性（切れ味）等に応じて樹脂フィルム２６にバリ８２が発生しないが、樹脂フィルム２６の外周端部付近が剪断方向へ反るような変形が生じることもあるが、このような変形が樹脂フィルム２６に生じた場合にも、カバーシート２４とディスク基板１２との密着性が低下することを防止できる。
【００４４】
なお、本実施形態に係る打抜装置４０では、保護シート３６をカバーシート２４のキャリアベースとするため、保護シート３６については外周打抜刃５２により打ち抜かないようにしているが、保護シート３６をキャリアベースとする必要がない場合には、保護シート３６を樹脂フィルム２６及び剥離シート３４と共に外周打抜刃５２により打ち抜くようにしても良い。また打抜装置４０で加工された剥離シート３４とカバーシート２４を保護シート３６に貼り付けたまま、一旦、ロール状に巻きとった後、このロールから延出させたカバーシート２４から剥離シート３４を剥離すると共に、保護シート３６を１枚のカバーシート２４毎に分断するようにしても良い。
【００４５】
【発明の効果】
以上説明したように本発明に係る積層シート材の打抜方法によれば、積層シート材から打抜かれたカバーシートにディスク基板との密着性を低下させるようなバリが発生することを防止できる。
【００４６】
また本発明に係る光ディスクの製造方法によれば、積層シート材から打抜かれたカバーシートに発生したバリの影響によりディスク基板とカバーシートとの密着性が低下することを防止できる。
【図面の簡単な説明】
【図１】本発明の実施形態に係る光ディスクの製造方法が適用可能な光ディスクの構成を示す斜視図である。
【図２】（Ａ）は本発明の実施形態に係る光ディスクの製造方法に用いられる積層シート材の打抜装置の構成を示す斜視図、（Ｂ）は積層シート材の構成を示す側面図である。
【図３】本発明の実施形態に係るカバーシートを受けテーブルへ搬送するためのスライドテーブル及びカバーシートから剥離シート及び保護シートを剥離するための剥離装置の構成を示す側面図である。
【図４】本発明の実施形態に係る光ディスクの製造方法に用いられるローラ加圧装置の構成を示す斜視図である。
【図５】図５に示されるローラ加圧装置の側面図であり、カバーシートとディスク基板との貼合時の加圧ローラの動作を示すものである。
【図６】本発明の実施形態に係る光ディスクの製造方法により製造された光ディスクの外周端部を拡大した側面図である。
【図７】従来の積層シート材の打抜き方法により成形されたカバーシートを受けテーブルへ搬送するためのスライドテーブル及びカバーシートから剥離シートを剥離するための剥離装置の構成を示す側面図である。
【図８】従来の積層シート材の打抜き方法により成形されたカバーシートがディスク基板に貼り合わされて製造された光ディスクの外周端部を拡大した側面図である。
【符号の説明】
１０　　　光ディスク
１２　　　ディスク基板
１４　　　記録面
２２　　　カバー層
２４　　　カバーシート
２６　　　樹脂フィルム（カバーシート）
２８　　　粘着膜（カバーシート）
３２　　　積層シート材
３４　　　剥離シート
３６　　　保護シート
４０　　　打抜装置
４４　　　ブレードローラ
４８　　　受けローラ
５２　　　外周打抜刃
５４　　　内周打抜刃
７０　　　ローラ加圧装置
７４　　　加圧ローラ
８２　　　バリ
【図１】
2004079052.tif 000003
【図２】
2004079052.tif 000004
【図３】
2004079052.tif 000005
【図４】
2004079052.tif 000006
【図５】
2004079052.tif 000007
【図６】
2004079052.tif 000008
【図７】
2004079052.tif 000009
【図８】
2004079052.tif 000010